(57)【要約】  本発明にかかる画像転送システム（９）は、コンテンツモードでは、端末装置（９１）に格納されたコンテンツデータを送信し、ミラーリングモードでは、画面に表示された画像を示す画像データを送信する端末装置（９１）と、端末装置（９１）から送信されたデータを受信して格納し、格納されたデータが設定データ量に達したときに格納されたデータに基づいて画像の表示装置（９３）への表示を開始する再生装置（９２）を備える。端末装置（９１）は、コンテンツモードへの切り替え契機となる入力に応じて、第１のデータ量を設定データ量として設定することを指示する設定指示情報を再生装置（９２）に送信し、ミラーリングモードへの切り替え契機となる入力に応じて、第１の容量よりも小さい第２のデータ量を設定データ量として設定することを指示する設定指示情報を再生装置（９２）に送信する。
2013145699.tif 000002
【特許請求の範囲】
【請求項１】
端末装置と、前記端末装置から転送されたデータが示す画像を表示装置に表示する再生装置とを備えた画像転送システムであって、
前記端末装置は、
ユーザーからの入力を受ける入力手段と、
画像に関するコンテンツを示すコンテンツデータが格納されるコンテンツ記憶手段と、
コンテンツモードでは、前記コンテンツ記憶手段に格納されたコンテンツデータを前記再生装置に送信し、ミラーリングモードでは、前記端末装置の画面に表示された画像を示す画像データを前記再生装置に送信する端末制御手段と、を有し、
前記再生装置は、
前記端末装置から送信されたデータが格納されるデータ記憶手段と、
前記データ記憶手段に格納されたデータが設定データ量に達したときに、当該データ記憶手段に格納されたデータに基づいて、当該データが示す画像の前記表示装置への表示を開始する再生制御手段と、を有し、
前記端末制御手段は、前記入力手段に対する前記コンテンツモードへの切り替え契機となる入力に応じて、第１のデータ量を前記設定データ量として設定することを指示する設定指示情報を前記再生装置に送信し、前記入力手段に対する前記ミラーリングモードへの切り替え契機となる入力に応じて、前記第１のデータ量よりも小さい第２のデータ量を前記設定データ量として設定することを指示する設定指示情報を前記再生装置に送信し、
前記再生制御手段は、前記端末装置から送信された設定指示情報で指示されるデータ量を、前記設定データ量として設定する、
画像転送システム。
【請求項２】
前記端末制御手段は、前記入力手段に対してフリック入力が所定の条件を満たす程度に入力されている場合、前記第２のデータ量を前記設定データ量として設定することを指示する設定指示情報を前記再生装置に送信する、
請求項１に記載の画像転送システム。
【請求項３】
前記端末制御手段は、前記入力手段に対してフリック入力が所定の条件を満たす程度に入力されていない場合、前記第１のデータ量を前記設定データ量として設定することを指示する設定指示情報を前記再生装置に送信する、
請求項１又は２に記載の画像転送システム。
【請求項４】
前記端末制御手段は、前記入力手段に対する前記設定データ量の切り替えを指示する入力に応じて、前記第１のデータ量及び前記第２のデータ量のうち、現在設定されているデータ量とは異なるデータ量を前記設定データ量として設定することを指示する設定指示情報を前記再生装置に送信する、
請求項１乃至３のいずれか１項に記載の画像転送システム。
【請求項５】
前記端末制御手段は、前記データを送信するときに、前記コンテンツモードで前記データを転送するアプリケーションプログラムが起動されている場合、前記第１のデータ量を前記設定データ量として設定することを指示する設定指示情報を前記再生装置に送信する、
請求項１乃至４のいずれか１項に記載の画像転送システム。
【請求項６】
前記端末制御手段は、前記データを送信するときに、前記ミラーリングモードで前記データを転送するアプリケーションプログラムが起動されている場合、前記第２のデータ量を前記設定データ量として設定することを指示する設定指示情報を前記再生装置に送信する、
請求項１乃至５のいずれか１項に記載の画像転送システム。
【請求項７】
前記第２のデータ量は、少なくとも１フレーム分のデータ量であり、
前記第１のデータ量は、所定数の複数フレーム分のデータ量である、
請求項１乃至６のいずれか１項に記載の画像転送システム。
【請求項８】
前記再生装置は、さらに、前記端末装置から送信されたデータを受信する通信手段を有し、
前記通信手段は、前記受信したデータを格納するバッファを有し、前記バッファがいっぱいになったときに、当該バッファに格納されたデータを前記データ記憶手段に格納し、
前記再生制御手段は、前記第１のデータ量を前記設定データ量として設定するときに、第１の容量を前記バッファの容量として設定し、前記第２のデータ量を前記設定データ量として設定するときに、前記第１の容量よりも小さい第２の容量を前記バッファの容量として設定する、
請求項１乃至７のいずれか１項に記載の画像転送システム。
【請求項９】
前記入力手段に対する前記コンテンツモードへの切り替え契機となる入力は、前記コンテンツモードへの切り替えを指示する入力、及び、前記コンテンツモードで前記データを転送するアプリケーションプログラムの起動を指示する入力の少なくとも１つであり、
前記入力手段に対する前記ミラーリングモードへの切り替え契機となる入力は、前記ミラーリングモードへの切り替えを指示する入力、及び、前記ミラーリングモードで前記データを転送するアプリケーションプログラムの起動を指示する入力の少なくとも１つであり、
請求項１乃至８のいずれか１項に記載の画像転送システム。
【請求項１０】
前記端末装置は、さらに、前記画像データが格納されたときに、当該画像データが示す画像が前記画面に表示される表示バッファを有し、
前記端末制御手段は、前記ミラーリングモードでは、前記表示バッファに格納された画像データを前記再生装置に送信する、
請求項１乃至９のいずれか１項に記載の画像転送システム。
【請求項１１】
前記端末装置は、スマートフォン又はタブレット端末である、
請求項１乃至１０のいずれか１項に記載の画像転送システム。
【請求項１２】
画像を示すデータを転送して、転送先で転送されたデータが示す画像を表示する画像転送方法であって、
コンテンツモードへの切り替え契機となる入力に応じて、第１のデータ量を設定データ量として設定することを指示する設定指示情報を送信、又は、ミラーリングモードへの切り替え契機となる入力に応じて、前記第１のデータ量よりも小さい第２のデータ量を前記設定データ量として設定することを指示する設定指示情報を送信し、
前記送信された設定指示情報で指示されるデータ量を、前記設定データ量として設定し、
前記コンテンツモードでは、コンテンツ記憶手段に格納された、画像に関するコンテンツを示すコンテンツデータを送信し、前記ミラーリングモードでは、画面に表示された画像を示す画像データを送信し、
前記送信されたデータをデータ記憶手段に格納し、
前記データ記憶手段に格納されたデータが前記設定データ量に達したときに、当該データ記憶手段に格納されたデータに基づいて、当該データが示す画像の表示を開始する、
画像転送方法。
【請求項１３】
データを受信してデータ記憶手段に格納し、前記データ記憶手段に格納されたデータが設定データ量に達したときに、当該データ記憶手段に格納されたデータに基づいて、当該データが示す画像の表示装置への表示を開始する再生装置に対して、前記データを送信する端末装置であって、
ユーザーからの入力を受ける入力手段と、
画像に関するコンテンツを示すコンテンツデータが格納されるコンテンツ記憶手段と、
コンテンツモードでは、前記コンテンツ記憶手段に格納されたコンテンツデータを前記再生装置に送信し、ミラーリングモードでは、前記端末装置の画面に表示された画像を示す画像データを前記再生装置に送信する端末制御手段と、を備え、
前記端末制御手段は、前記入力手段に対する前記コンテンツモードへの切り替え契機となる入力に応じて、第１のデータ量を前記設定データ量として設定することを指示する設定指示情報を前記再生装置に送信し、前記入力手段に対する前記ミラーリングモードへの切り替え契機となる入力に応じて、前記第１のデータ量よりも小さい第２のデータ量を前記設定データ量として設定することを指示する設定指示情報を前記再生装置に送信する、
端末装置。
【請求項１４】
データを受信してデータ記憶手段に格納し、前記データ記憶手段に格納されたデータが設定データ量に達したときに、当該データ記憶手段に格納されたデータに基づいて、当該データが示す画像の表示装置への表示を開始する再生装置に対して、前記データを送信する画像送信方法であって、
コンテンツモードへの切り替え契機となる入力に応じて、第１のデータ量を設定データ量として設定することを指示する設定指示情報を前記再生装置に送信、又は、ミラーリングモードへの切り替え契機となる入力に応じて、前記第１のデータ量よりも小さい第２のデータ量を前記設定データ量として設定することを指示する設定指示情報を前記再生装置に送信し、
前記コンテンツモードでは、コンテンツ記憶手段に格納された、画像に関するコンテンツを示すコンテンツデータを前記再生装置に送信し、前記ミラーリングモードでは、画面に表示された画像を示す画像データを前記再生装置に送信する、
画像送信方法。
【請求項１５】
データを受信してデータ記憶手段に格納し、前記データ記憶手段に格納されたデータが設定データ量に達したときに、当該データ記憶手段に格納されたデータに基づいて、当該データが示す画像の表示装置への表示を開始する再生装置に対して、前記データを送信するための画像送信プログラムが格納された非一時的なコンピュータ可読媒体であって、
コンテンツモードでは、コンテンツ記憶手段に格納された、画像に関するコンテンツを示すコンテンツデータを前記再生装置に送信し、ミラーリングモードでは、画面に表示された画像を示す画像データを前記再生装置に送信する処理と、
前記コンテンツモードへの切り替え契機となる入力に応じて、第１のデータ量を前記設定データ量として設定することを指示する設定指示情報を前記再生装置に送信する処理と、
前記ミラーリングモードへの切り替え契機となる入力に応じて、前記第１のデータ量よりも小さい第２のデータ量を前記設定データ量として設定することを指示する設定指示情報を前記再生装置に送信する処理と、
をコンピュータに実行させる画像送信プログラムが格納された非一時的なコンピュータ可読媒体。
【発明の詳細な説明】
【技術分野】
【０００１】
本発明は、画像転送システム、画像転送方法、端末装置、画像送信方法、及び、画像送信プログラムが格納された非一時的なコンピュータ可読媒体に関し、特に、他の装置へのコンテンツの転送表示及びミラーリング表示を行う技術に関する。
【背景技術】
【０００２】
端末装置（スマートフォン及びタブレット端末等）から他装置（ＴＶ等）に動画データを転送して、他装置で転送された動画データに基づいて動画を再生するシステムが開発されてきている。このようなシステムでは、他装置側において、動画データを一定量蓄積することができるバッファを備えるようにしている。そして、端末装置から転送された動画データがバッファに一定量蓄積されてから、バッファに蓄積された動画データに基づいて動画の再生を開始するようにしている。これによれば、動画の再生中に、何らかの原因によって、未転送の動画データの転送に遅延が生じたとしても、バッファに蓄積された動画データに基づいて、動画を途切れることなく継続して表示することが可能となる。【０００３】
ここで、特許文献１として、コンテンツを、ＤＶＤ再生装置及びハードディスクドライブ等のコンテンツ提供装置から、家庭内の各部屋をつなぐネットワークを介して各部屋に設置された受信装置に伝送することで、コンテンツ提供装置とは異なる部屋に居ながら、コンテンツを試聴することを可能とするシステムに関する技術も開示されている。
【先行技術文献】
【特許文献】
【０００４】
【特許文献１】特開２００８−２８８６６７号公報
【発明の概要】
【発明が解決しようとする課題】
【０００５】
本願出願人は、上述したように、動画等のコンテンツを他装置に転送して表示するシステムにおいて、さらに、端末装置の画面に表示された画像を、他装置にミラーリング表示することも可能にすることを検討するに当たり、以下に説明する課題を見出した。【０００６】
上述したシステムでは、コンテンツを他装置で表示する際に、コンテンツを途切れることなく表示することを可能とするために、端末装置から送信されるコンテンツデータがバッファに一定量蓄積されるまで、コンテンツデータに基づいてコンテンツの表示を開始しないようしている。言い換えると、バッファに一定量のコンテンツデータが蓄積されるまでは、コンテンツの表示が開始されないため、コンテンツの表示に遅延が生じることになる。【０００７】
それに対して、端末装置の画面に表示された画像を、他装置にミラーリング表示する場合、端末装置の画面に表示された画像が、他装置でも遅延なく同期して表示されることが好ましい。しかしながら、上述したシステムにおいて、ミラーリング表示を実施した場合、バッファに一定量のデータが蓄積されるまでは、画像の表示が開始されないため、画像が表示されるまでに遅延が生じてしまうという問題がある。【０００８】
本発明の目的は、上述したような課題を解決するために、他の装置へのコンテンツの転送表示及びミラーリング表示を快適に行うことができる画像転送システム、画像転送方法、端末装置、画像送信方法、及び、画像送信プログラムが格納された非一時的なコンピュータ可読媒体を提供することである。
【課題を解決するための手段】
【０００９】
本発明の第１の態様にかかる画像転送システムは、端末装置と、前記端末装置から転送されたデータが示す画像を表示装置に表示する再生装置とを備えた画像転送システムであって、前記端末装置は、ユーザーからの入力を受ける入力部と、画像に関するコンテンツを示すコンテンツデータが格納されるコンテンツ記憶部と、コンテンツモードでは、前記コンテンツ記憶部に格納されたコンテンツデータを前記再生装置に送信し、ミラーリングモードでは、前記端末装置の画面に表示された画像を示す画像データを前記再生装置に送信する端末制御部と、を有し、前記再生装置は、前記端末装置から送信されたデータが格納されるデータ記憶部と、前記データ記憶部に格納されたデータが設定データ量に達したときに、当該データ記憶部に格納されたデータに基づいて、当該データが示す画像の前記表示装置への表示を開始する再生制御部と、を有し、前記端末制御部は、前記入力部に対する前記コンテンツモードへの切り替え契機となる入力に応じて、第１のデータ量を前記設定データ量として設定することを指示する設定指示情報を前記再生装置に送信し、前記入力部に対する前記ミラーリングモードへの切り替え契機となる入力に応じて、前記第１の規定量よりも小さい第２のデータ量を前記設定データ量として設定することを指示する設定指示情報を前記再生装置に送信し、前記再生制御部は、前記端末装置から送信された設定指示情報で指示されるデータ量を、前記設定データ量として設定する、ものである。【００１０】
本発明の第２の態様にかかる画像転送方法は、画像を示すデータを転送して、転送先で転送されたデータが示す画像を表示する画像転送方法であって、コンテンツモードでは、コンテンツ記憶部に格納された、画像に関するコンテンツを示すコンテンツデータを送信し、ミラーリングモードでは、画面に表示された画像を示す画像データを送信するステップと、前記送信されたデータをデータ記憶部に格納するステップと、前記データ記憶部に格納されたデータが設定データ量に達したときに、当該データ記憶部に格納されたデータに基づいて、当該データが示す画像の表示を開始するステップと、前記コンテンツモードへの切り替え契機となる入力に応じて、第１のデータ量を前記設定データ量として設定することを指示する設定指示情報を送信するステップと、前記ミラーリングモードへの切り替え契機となる入力に応じて、前記第１のデータ量よりも小さい第２のデータ量を前記設定データ量として設定することを指示する設定指示情報を送信するステップと、前記送信された設定指示情報で指示されるデータ量を、前記設定データ量として設定するステップと、を備えたものである。【００１１】
本発明の第３の態様にかかる端末装置は、データを受信してデータ記憶部に格納し、前記データ記憶部に格納されたデータが設定データ量に達したときに、当該データ記憶部に格納されたデータに基づいて、当該データが示す画像の表示装置への表示を開始する再生装置に対して、前記データを送信する端末装置であって、ユーザーからの入力を受ける入力部と、画像に関するコンテンツを示すコンテンツデータが格納されるコンテンツ記憶部と、コンテンツモードでは、前記コンテンツ記憶部に格納されたコンテンツデータを前記再生装置に送信し、ミラーリングモードでは、前記端末装置の画面に表示された画像を示す画像データを前記再生装置に送信する端末制御部と、を備え、前記端末制御部は、前記入力部に対する前記コンテンツモードへの切り替え契機となる入力に応じて、第１のデータ量を前記設定データ量として設定することを指示する設定指示情報を前記再生装置に送信し、前記入力部に対する前記ミラーリングモードへの切り替え契機となる入力に応じて、前記第１のデータ量よりも小さい第２のデータ量を前記設定データ量として設定することを指示する設定指示情報を前記再生装置に送信する、ものである。【００１２】
本発明の第４の態様にかかる画像送信方法は、データを受信してデータ記憶部に格納し、前記データ記憶部に格納されたデータが設定データ量に達したときに、当該データ記憶部に格納されたデータに基づいて、当該データが示す画像の表示装置への表示を開始する再生装置に対して、前記データを送信する画像送信方法であって、コンテンツモードでは、コンテンツ記憶部に格納された、画像に関するコンテンツを示すコンテンツデータを前記再生装置に送信し、ミラーリングモードでは、前記画面に表示された画像を示す画像データを前記再生装置に送信するステップと、前記コンテンツモードへの切り替え契機となる入力に応じて、第１のデータ量を前記設定データ量として設定することを指示する設定指示情報を前記再生装置に送信するステップと、前記ミラーリングモードへの切り替え契機となる入力に応じて、前記第１のデータ量よりも小さい第２のデータ量を前記設定データ量として設定することを指示する設定指示情報を前記再生装置に送信するステップと、を備えたものである。【００１３】
本発明の第５の態様にかかる画像送信プログラムは、データを受信してデータ記憶部に格納し、前記データ記憶部に格納されたデータが設定データ量に達したときに、当該データ記憶部に格納されたデータに基づいて、当該データが示す画像の表示装置への表示を開始する再生装置に対して、前記データを送信するための画像送信プログラムであって、コンテンツモードでは、コンテンツ記憶部に格納された、画像に関するコンテンツを示すコンテンツデータを前記再生装置に送信し、ミラーリングモードでは、前記画面に表示された画像を示す画像データを前記再生装置に送信する処理と、前記コンテンツモードへの切り替え契機となる入力に応じて、第１のデータ量を前記設定データ量として設定することを指示する設定指示情報を前記再生装置に送信する処理と、前記ミラーリングモードへの切り替え契機となる入力に応じて、前記第１のデータ量よりも小さい第２のデータ量を前記設定データ量として設定することを指示する設定指示情報を前記再生装置に送信する処理と、をコンピュータに実行させるものである。
【発明の効果】
【００１４】
本発明の上述した各態様によれば、他の装置へのコンテンツの転送表示及びミラーリング表示を快適に行うことができる画像転送システム、画像転送方法、端末装置、画像送信方法、及び、画像送信プログラムが格納された非一時的なコンピュータ可読媒体を提供することができる。
【図面の簡単な説明】
【００１５】
【図１】発明の実施の形態１にかかるコンテンツ転送システムの構成図である。
【図２】発明の実施の形態１にかかるコンテンツ転送システムの転送モードにおける各モードの概念図である。
【図３】発明の実施の形態１にかかるコンテンツ転送システムの詳細構成を示すブロック図である。
【図４】発明の実施の形態１にかかるデータ量切り替え処理を示すフローチャートである。
【図５】発明の実施の形態１にかかるメディアコンテンツモードにおけるコンテンツ再生処理のフローチャートである。
【図６】発明の実施の形態１にかかるミラーリングモードにおけるコンテンツ再生処理のフローチャートである。
【図７】発明の実施の形態２にかかるデータ量切り替え処理を示すフローチャートである。
【図８】発明の実施の形態３にかかるデータ量切り替え処理を示すフローチャートである。
【図９】発明の実施の形態４にかかるデータ量切り替え処理を示すフローチャートである。
【図１０】発明の実施の形態にかかる画像転送システムの構成を示すブロック図である。
【発明を実施するための形態】
【００１６】
＜発明の実施の形態１＞
まず、本発明の実施の形態１について説明する。図１を参照して、本発明の実施の形態１にかかるコンテンツ転送システム１の構成について説明する。図１は、本発明の実施の形態１にかかるコンテンツ転送システム１の構成図である。
【００１７】
コンテンツ転送システム１は、端末装置１０、再生装置２０、及び、表示装置３０を有する。
【００１８】
コンテンツ転送システム１は、動作モードとして、端末装置１０のみで画像を再生する非転送モードと、端末装置１０から再生装置２０に画像を転送して表示装置３０で画像を再生する転送モードとを有する。コンテンツ転送システム１は、転送モードによって表示装置３０で画像を再生することで、画像を多人数で共有することを可能としている。なお、「画像」には、動画像及び静止画像が含まれる。
【００１９】
端末装置１０と再生装置２０とは、Ｗｉ−Ｆｉによって相互に接続されている。端末装置１０と再生装置２０とは、Ｗｉ−Ｆｉを介して任意の情報を送受信することができる。なお、端末装置１０と再生装置２０とを接続する無線通信は、Ｗｉ−Ｆｉに限られず、任意の無線通信規格を使用するようにしてもよい。また、端末装置１０と再生装置２０とは、無線通信に限られず、有線通信によって接続するようにしてもよい。また、その場合、有線通信は、任意の有線通信規格を使用するようにしてよい。
【００２０】
再生装置２０及び表示装置３０は、ＨＤＭＩ（High Definition Multimedia Interface）ケーブルによって接続されている。再生装置２０は、表示装置３０において画像を表示する場合、ＨＤＭＩケーブルを介して、画像データを表示装置３０に送信する。なお、再生装置２０と表示装置３０とを接続する有線通信は、ＨＤＭＩに限られず、任意の有線通信規格を使用するようにしてもよい。また、再生装置２０と表示装置３０とは、有線通信に限られず、無線通信によって接続するようにしてもよい。また、その場合、無線通信は、任意の無線通信規格を使用するようにしてよい。
【００２１】
端末装置１０は、画像を再生することが可能な情報処理装置である。また、端末装置１０は、転送モードで動作する場合、表示装置３０に表示させる画像を示す画像データを再生装置２０に送信する。端末装置１０は、例えば、スマートフォン、タブレット端末、及び、ノート型ＰＣ（Personal computer）等の携帯端末装置である。
【００２２】
再生装置２０は、端末装置１０から送信される画像データに基づいて、画像を表示装置３０において表示させる。再生装置２０は、任意の容量が設定されるバッファを有する。再生装置２０は、端末装置１０から送信されてくる画像のデータをバッファに蓄積する。再生装置２０は、バッファに蓄積されたデータが、設定したデータ量まで蓄積されたときに、バッファに蓄積されたデータに基づいて画像の表示を開始する。具体的には、再生装置２０は、バッファに格納されたデータを表示装置３０に出力する。ここで、画像の表示を開始するデータ量は、端末装置１０からの指示に応じて、任意のデータ量が設定される。
【００２３】
表示装置３０は、再生装置２０から出力されたデータに基づいて、データが示す画像を出力する。表示装置３０は、例えば、テレビジョンである。これによって、表示装置３０において端末装置１０から転送された画像が表示される。表示装置３０は、画像を多人数で共有する際の視認性を向上するために、端末装置１０の画面よりも、大きな画面を有することが好ましい。
【００２４】
続いて、図２を参照して、本発明の実施の形態１にかかるコンテンツ転送システム１の転送モードにおける各モードについて説明する。図２は、本発明の実施の形態１にかかるコンテンツ転送システム１の転送モードにおける各モードの概念図である。
【００２５】
コンテンツ転送システム１は、転送モードとして、メディアコンテンツモードと、ミラーリングモードとを有する。
【００２６】
メディアコンテンツモードは、端末装置１０に格納されたコンテンツを転送して表示装置３０で表示するモードである。なお、厳密には、コンテンツを示すコンテンツデータが転送されることになる。ここで、本実施の形態では、コンテンツとして、静止画像及び動画像等の画像に関するコンテンツを対象とする。静止画像は、例えば、写真及びイラスト等である。動画像は、例えば、映画及びビデオ等である。すなわち、コンテンツデータには、コンテンツとしての画像を示す画像データが含まれている。また、本実施の形態では、メディアコンテンツモードで転送するコンテンツとして、動画像を対象とする。
【００２７】
すなわち、メディアコンテンツモードは、コンテンツ（動画像）を途切れないように表示することを優先すべきモードである。よって、メディアコンテンツモードでは、コンテンツの表示を開始する前に、再生装置２０のバッファに蓄積するデータ量が大きく設定されることが好ましい。そのようにすることで、端末装置１０からの未転送のコンテンツデータの転送に遅延が生じた場合であっても、バッファに蓄積されたコンテンツデータに基づいて、コンテンツを途切れることなく表示することが可能となる。
【００２８】
ミラーリングモードは、端末装置１０の画面に表示された画像を転送して表示装置３０でミラーリング表示するモードである。なお、厳密には、端末装置１０の画面に表示された画像を示す画像データが転送されることになる。すなわち、ミラーリングモードでは、画像を遅延なく同期して表示することを優先すべきモードである。よって、ミラーリングモードでは、画像の表示を開始する前に、再生装置２０に蓄積するデータ量が小さく設定されることが好ましい。そのようにすることで、画像データがバッファに蓄積されて、画像の表示が開始されるまでの時間を短縮して、画像を遅延なく表示開始することが可能となる。
【００２９】
ここで、本実施の形態では、ミラーリングモードで転送する画像として、静止画像及びゲーム画像を対象とする。例えば、静止画像は、１枚（フレーム）の画像のみで完結するため、動画像のように画像の途切れを気にする必要はない。そのため、静止画像の場合は、ミラーリングモードによって、画像を遅延なく表示することを優先するほうが好ましい。また、ゲーム画像は、端末装置１０においてゲームを操作するユーザーと、ゲーム画像を表示装置３０で共有する他のユーザーとの間での意思疎通に時間的なズレが生じないようにするために、遅延なく同期して表示されるようにすべきである。そのため、ゲーム画像の場合は、ミラーリングモードによって、遅延なく表示することを優先するほうが好ましい。
【００３０】
以上に説明したように、メディアコンテンツモードでは、画像の表示を開始するまでにバッファに蓄積するデータ量を大きくとり、ミラーリングモードでは、画像の表示を開始するまでにバッファに蓄積するデータ量を小さくとることが求められている。そこで、本実施の形態では、メディアコンテンツモード向けのデータ量（以下、「第１のデータ量」と呼ぶ）と、ミラーリングモード向けの第１のデータ量よりも小さいデータ量（以下、「第２のデータ量」と呼ぶ）とを用意し、モードに応じて、画像の表示を開始するデータ量を、第１のデータ量又は第２のデータ量に切り替え可能とする。
【００３１】
ここで、好ましくは、第２のデータ量とは、画像１フレーム分のデータ量とし、第１のデータ量は、複数フレーム分のデータ量とするとよい。なお、第１のデータ量におけるフレームの数は、予め任意の数を定めるようにしてよい。また、第２のデータ量は、丁度１フレーム分のデータ量に限られず、少なくとも１フレーム分のデータ量であればよい。
【００３２】
続いて、図３を参照して、本発明の実施の形態１にかかるコンテンツ転送システム１の詳細構成について説明する。図３は、本発明の実施の形態１にかかるコンテンツ転送システム１の詳細構成を示すブロック図である。
【００３３】
端末装置１０は、制御部１０１、記憶部１０２、表示バッファ１０３、表示部１０４、入力部１０５、及び、通信部１０６を有する。
【００３４】
制御部１０１は、端末装置１０としての各種機能を実現するための処理を実行する。具体的には、端末装置１０が有するＣＰＵが、端末装置１０としての各種機能を実現するための処理を実行させるためのプログラムを実行することによって、制御部１０１として機能する。制御部１０１は、ユーザーからの入力部１０５に対する入力に応じて、処理を実行する。
【００３５】
記憶部１０２は、複数のコンテンツデータ１２０及びアプリケーションプログラム（以下、「アプリ」と呼ぶ）１２２〜１２４が格納される。記憶部１０２は、コンテンツデータ及びアプリを格納するための記憶装置を含む。記憶装置は、例えば、メモリ及びハードディスク等である。
【００３６】
コンテンツデータ１２０は、コンテンツを示すデータである。コンテンツデータ１２０は、上述したように、動画像及び静止画像等の画像に関するコンテンツを示す。コンテンツデータ１２０は、例えば、ファイルの形式で記憶部１０２に格納される。
【００３７】
動画アプリケーションプログラム（以下、「動画アプリ」と呼ぶ）１２１は、制御部１０１に動画を表示させるための処理を実行させるためのプログラムである。制御部１０１は、動画アプリ１２１を実行することで、動画像のコンテンツデータ１２０に基づいて、動画像を表示する。具体的には、制御部１０１は、非転送モードである場合、動画像のコンテンツデータ１２０に含まれる画像データを表示バッファ１０３に格納することで、端末装置１０の画面に動画像を表示する。制御部１０１は、メディアコンテンツモードである場合、動画像のコンテンツデータ１２０を通信部１０６に出力することで、動画像のコンテンツデータ１２０を再生装置２０に送信する。これによって、再生装置２０によって、表示装置３０の画面に動画像が表示される。
【００３８】
静止画アプリケーションプログラム（以下、「静止画アプリ」と呼ぶ）１２２は、制御部１０１に静止画を表示させるための処理を実行させるためのプログラムである。制御部１０１は、静止画アプリ１２２を実行することで、静止画像のコンテンツデータ１２０に基づいて、静止画像を表示する。具体的には、制御部１０１は、静止画像のコンテンツデータ１２０に含まれる画像データを表示バッファ１０３に格納することで、端末装置１０の画面に静止画像を表示する。さらに、制御部１０１は、ミラーリングモードである場合、表示バッファ１０３に格納された画像データを通信部１０６に出力することで、端末装置１０の画面の画像データを再生装置２０に送信する。これによって、再生装置２０によって、表示装置３０の画面に、静止画像が表示された端末装置１０の画面の画像がミラーリング表示される。
【００３９】
ゲームアプリケーションプログラム（以下、「ゲームアプリ」と呼ぶ）１２３は、制御部１０１にゲーム画像を表示させるための処理を実行させるためのプログラムである。制御部１０１は、ゲームアプリ１２３を実行することで、ゲーム画像を生成して表示する。具体的には、制御部１０１は、ゲーム画像を示す画像データを生成して表示バッファ１０３に格納することで、端末装置１０の画面にゲーム画像を表示する。さらに、制御部１０１は、ミラーリングモードである場合、表示バッファ１０３に格納された画像データを通信部１０６に出力することで、端末装置１０の画面の画像データを再生装置２０に送信する。これによって、再生装置２０によって、表示装置３０の画面に、ゲーム画像が表示された端末装置１０の画面の画像がミラーリング表示される。
【００４０】
ここで、制御部１０１は、さらに、ゲームアプリ１２３を実行することで、ゲーム中にミラーリングモードとなっている状態で、ムービー（動画像）を表示することになった場合には、メディアコンテンツモードに切り替えて、そのムービー（動画像）のコンテンツデータ１２０を表示するようにしてもよい。
【００４１】
表示バッファ１０３は、制御部１０１によって、表示部１０４に表示する画像を示す画像データが格納される。表示バッファ１０３は、画像データを格納するためのメモリで構成される。表示バッファ１０３は、例えば、ＶＲＡＭ（Video RAM）である。
【００４２】
表示部１０４は、画像を表示するための画面を含む。表示部１０４は、表示バッファ１０３に格納された画像データを取得して、取得した画像データが示す画像を画面に表示する。画面は、例えば、液晶パネル、有機ＥＬパネル、及び、プラズマディスプレイパネル等である。
【００４３】
入力部１０５は、ユーザーからの入力を受ける。入力部１０５は、ユーザーからの入力に応じて、入力内容を示す入力情報を生成する。入力部１０５は、生成した入力情報を制御部１０１に出力する。
【００４４】
端末装置１０がスマートフォン又はタブレット端末である場合、表示部１０４及び入力部１０５でタッチパネルを構成する。なお、入力部１０５として、タッチパネル以外に又はタッチパネルに代えて、物理的な操作ボタンを有するようにしてもよい。
【００４５】
通信部１０６は、再生装置２０との間で、Ｗｉ−Ｆｉによって任意のデータを送受信する。具体的には、通信部１０６は、制御部１０１から出力されたデータを再生装置２０に送信する。通信部１０６は、再生装置２０から受信したデータを制御部１０１に出力する。
【００４６】
再生装置２０は、制御部２０１、記憶部２０２、通信部２０３、及び、表示インタフェース部２０４を有する。
【００４７】
制御部２０１は、再生装置２０としての各種機能を実現するための処理を実行する。具体的には、再生装置２０が有するＣＰＵが、再生装置２０としての各種機能を実現するための処理を実行させるためのプログラムを実行することによって、制御部２０１として機能する。制御部２０１は、端末装置１０からの通信部２０３に対する入力に応じて、処理を実行する。
【００４８】
記憶部２０２は、端末装置１０から送信されたデータ（コンテンツデータ又は端末装置１０の画面の画像データ）が格納される。具体的には、記憶部２０２には、端末装置１０から送信されたデータを一時的に格納するためのバッファ２２０が設定される。バッファ２２０の容量は、予め任意の容量を設定することができる。記憶部２０２は、データを格納するための記憶装置を含む。記憶装置は、例えば、メモリ及びハードディスク等である。
【００４９】
通信部２０３は、端末装置１０との間で、Ｗｉ−Ｆｉによって任意のデータを送受信する。具体的には、通信部２０３は、制御部２０１から出力されたデータを端末装置１０に送信する。通信部２０３は、端末装置１０から受信したデータを制御部２０１に出力する。
【００５０】
表示インタフェース部２０４は、表示装置３０との間で、ＨＤＭＩによって任意のデータを送信する。具体的には、表示インタフェース部２０４は、制御部２０１から出力された画像データを表示装置３０に送信する。
【００５１】
続いて、図４を参照して、本発明の実施の形態１にかかるデータ量切り替え処理について説明する。図４は、本発明の実施の形態１にかかるデータ量切り替え処理を示すフローチャートである。
【００５２】
入力部１０５は、ユーザーからの転送モードへの切り替え契機となる入力を受ける（Ｓ１０）。入力部１０５は、ユーザーからの入力に応じて、その入力内容を示す入力情報を生成して制御部１０１に出力する。
【００５３】
制御部１０１は、入力部１０５からの転送モードへの切り替え契機となる入力を示す入力情報の出力に応じて、メディアコンテンツモードへの切り替え契機となる入力であるか、ミラーリングモードへの切り替え契機となる入力であるかを判定する（Ｓ１１）。
【００５４】
ここで、メディアコンテンツモードへの切り替え契機となる入力とは、メディアコンテンツモードへの切り替えが確定する入力であれば、どのような入力であってもよい。この入力は、例えば、メディアコンテンツモードへの切り替えを指示する入力、及び、転送モードに切り替えた場合にメディアコンテンツモードでコンテンツデータを転送する動画アプリ１２１の起動を指示する入力等である。例えば、制御部１０１は、タッチパネルに、メディアコンテンツモードへの切り替えボタンを表示するようにして、そのボタンが押下されたときに、メディアコンテンツモードへの切り替えを指示する入力があったと認識する。また、例えば、制御部１０１は、タッチパネルに、動画アプリ１２１の起動ボタンを表示するようにして、そのボタンが押下されたときに、動画アプリ１２１の起動を指示する入力があったと認識する。また、これらのボタンは、タッチパネルではなく、物理的なボタンに同様にして割り当てるようにしてもよい。
【００５５】
また、ミラーリングモードへの切り替え契機となる入力とは、ミラーリングモードへの切り替えが確定する入力であれば、どのような入力であってもよい。この入力は、例えば、ミラーリングモードへの切り替えを指示する入力、及び、転送モードに切り替えた場合にミラーリングモードで画像データを転送する静止画アプリ１２２又はゲームアプリ１２３の起動を指示する入力等である。例えば、制御部１０１は、タッチパネルに、ミラーリングモードへの切り替えボタンを表示するようにして、そのボタンが押下されたときに、ミラーリングモードへの切り替えを指示する入力があったと認識する。また、例えば、制御部１０１は、タッチパネルに、静止画アプリ１２２の起動ボタンを表示するようにして、そのボタンが押下されたときに、静止画アプリ１２２の起動を指示する入力があったと認識する。これについては、ゲームアプリ１２３についても同様である。また、これらのボタンは、タッチパネルではなく、物理的なボタンに同様にして割り当てるようにしてもよい。
【００５６】
ユーザーからの入力がメディアコンテンツモードへの切り替え契機となる入力である場合（Ｓ１１：メディアコンテンツモード）、制御部１０１は、第１のデータ量の設定を指示する設定指示情報を生成して、通信部１０６を介して再生装置２０に送信する（Ｓ１２）。
【００５７】
再生装置の制御部２０１は、端末装置１０から送信された設定指示情報を、通信部２０３を介して受信する。制御部２０１は、第１のデータ量の設定を指示する設定指示情報の受信に応じて、記憶部２０２のバッファ２２０に画像の表示を開始するまでに蓄積するデータ量を、第１のデータ量に設定する（Ｓ１３）。すなわち、以降、制御部２０１は、端末装置１０から送信されたデータがバッファ２２０に第１のデータ量まで蓄積されてから、バッファ２２０に蓄積されたデータに基づいて画像の表示を開始するようにする。
【００５８】
ユーザーからの入力がミラーリングモードへの切り替え契機となる入力である場合（Ｓ１１：ミラーリングモード）、制御部１０１は、第２のデータ量の設定を指示する設定指示情報を生成して、通信部１０６を介して再生装置２０に送信する（Ｓ１４）。
【００５９】
再生装置の制御部２０１は、端末装置１０から送信された設定指示情報を、通信部２０３を介して受信する。制御部２０１は、第２のデータ量の設定を指示する設定指示情報の受信に応じて、記憶部２０２のバッファ２２０に画像の表示を開始するまでに蓄積するデータ量を、第２のデータ量に設定する（Ｓ１５）。すなわち、以降、制御部２０１は、端末装置１０から送信されたデータがバッファ２２０に第２のデータ量まで蓄積されてから、バッファ２２０に蓄積されたデータに基づいて画像の表示を開始するようにする。
【００６０】
ここで、設定指示情報は、記憶部２０２のバッファ２２０に蓄積するデータ量を、第１のデータ量と第２のデータ量のいずれで設定するかを示す情報であれば、どのような形式の情報であってもよい。例えば、制御部１０１は、設定指示情報として、第１のデータ量で設定するか、第２のデータ量で設定するかを示すコマンドを送信するようにしてもよい。また、例えば、制御部１０１は、データ（コンテンツデータ又は画像データ）を送信するときに、第１のデータ量で設定するか、第２のデータ量で設定するかを示すフラグをデータに設定して送信するようにしてもよい。
【００６１】
また、バッファ２２０に蓄積するデータ量の変更に伴い、バッファ２２０の容量も変更するようにしてもよい。具体的には、制御部２０１は、第１のデータ量の設定を指示する設定指示情報の受信に応じて、バッファ２２０の容量を第１のバッファ容量に設定する。また、制御部２０１は、第２のデータ量の設定を指示する設定指示情報の受信に応じて、バッファ２２０の容量を第１のバッファ容量よりも小さい第２のバッファ容量に設定する。
【００６２】
続いて、図５を参照して、本発明の実施の形態１にかかるメディアコンテンツモードにおけるコンテンツ再生処理について説明する。図５は、本発明の実施の形態１にかかるメディアコンテンツモードにおけるコンテンツ再生処理のフローチャートである。
【００６３】
制御部１０１は、記憶部１０２からコンテンツデータを取得する（Ｓ２０）。制御部１０１は、取得したコンテンツデータに含まれる画像データを表示バッファ１０３に格納する（Ｓ２１）。表示部１０４は、表示バッファ１０３に格納された画像データに基づいて、コンテンツ（画像）を画面に表示する（Ｓ２２）。
【００６４】
なお、ここで、メディアコンテンツモードでは、コンテンツを端末装置１０の画面には表示しないようにしてもよい。また、再生装置２０に転送して表示するコンテンツのサムネイルの画像を示す画像データを生成して表示バッファ１０３に格納することで、コンテンツのサムネイルのみを端末装置１０の画面に表示するようにしてもよい。
【００６５】
また、制御部１０１は、取得したコンテンツデータを、通信部１０６を介して再生装置２０に送信する（Ｓ２３）。再生装置２０の制御部２０１は、端末装置１０から送信されたコンテンツデータを記憶部２０２のバッファ２２０に格納する（Ｓ２４）。制御部２０１は、端末装置１０から送信されたコンテンツデータが設定されたデータ量（第１のデータ量又は第２のデータ量）まで蓄積されたか否かを判定する（Ｓ２５）。
【００６６】
コンテンツデータが設定されたデータ量まで蓄積されていない場合（Ｓ２５：Ｎｏ）、コンテンツデータの未送信部分について、ステップＳ２０からの処理が繰り返される。
【００６７】
コンテンツデータが設定されたデータ量まで蓄積された場合（Ｓ２５：Ｙｅｓ）、制御部２０１は、バッファ２２０に蓄積されたコンテンツデータに基づいて、コンテンツの表示装置３０への表示を開始する（Ｓ２６）。具体的には、制御部２０１は、バッファ２２０に格納されたコンテンツデータに含まれる画像データを、表示インタフェース部２０４を介して表示装置３０に出力する。表示装置３０は、再生装置２０から出力された画像データに基づいて、コンテンツ（画像）を表示する。また、コンテンツデータの未送信部分について、ステップＳ２０〜Ｓ２４の処理が繰り返される。つまり、コンテンツデータの未送信部分についても、順次、バッファ２２０に格納されて、制御部２０１によって上述と同様に表示されていく。
【００６８】
続いて、図６を参照して、本発明の実施の形態１にかかるミラーリングモードにおけるコンテンツ再生処理について説明する。図６は、本発明の実施の形態１にかかるミラーリングモードにおけるコンテンツ再生処理のフローチャートである。
【００６９】
制御部１０１は、記憶部１０２から画像データを取得する（Ｓ３０）。例えば、制御部１０１は、静止画アプリ１２２を実行している場合、記憶部１０２から、静止画像のコンテンツデータ１２０に含まれる画像データを取得する。また、例えば、制御部１０１は、ゲームアプリ１２３を実行している場合、ゲーム画像を示す画像データを生成することで、画像データを取得する。制御部１０１は、取得した画像データを表示バッファ１０３に格納する（Ｓ３１）。表示部１０４は、表示バッファ１０３に格納された画像データに基づいて、画像を表示する（Ｓ３２）。
【００７０】
制御部１０１は、表示バッファ１０３に格納された画像データを取得する（Ｓ３３）。制御部１０１は、取得した画像データを、通信部１０６を介して再生装置２０に送信する（Ｓ３４）。これによって、端末装置１０の画面に表示された画像を示す画像データが再生装置２０に送信される。
【００７１】
再生装置２０の制御部２０１は、端末装置１０から送信された画像データを記憶部２０２のバッファ２２０に格納する（Ｓ３５）。制御部２０１は、端末装置１０から送信された画像データが設定されたデータ量（第１のデータ量又は第２のデータ量）まで蓄積されたか否かを判定する（Ｓ３６）。
【００７２】
画像データが設定されたデータ量まで蓄積されていない場合（Ｓ３６：Ｎｏ）、次の画像データについて、ステップＳ３０からの処理が繰り返される。
【００７３】
画像データが設定されたデータ量まで蓄積された場合（Ｓ３６：Ｙｅｓ）、制御部２０１は、バッファ２２０に蓄積された画像データに基づいて、端末装置１０の画面の画像の表示装置３０への表示を開始する（Ｓ３７）。具体的には、制御部２０１は、バッファ２２０に格納された画像データを、表示インタフェース部２０４を介して表示装置３０に出力する。表示装置３０は、再生装置２０から出力された画像データに基づいて、端末装置１０の画面の画像を表示する。また、後続する画像データについて、ステップＳ３０〜Ｓ３５の処理が繰り返される。つまり、後続する画像データについても、順次、バッファ２２０に格納されて、制御部２０１によって上述と同様に表示されていく。
【００７４】
ここで、例えば、第２のデータ量が１フレーム分のデータ量であるときに、画像によっては、１フレーム分の画像データが蓄積される前に、バッファ２２０がいっぱいになってしまう場合もある。その場合には、制御部２０１は、バッファ２２０に格納された画像データを表示装置３０に出力する。次に、制御部２０１は、その後にバッファ２２０に格納された画像データのうち、１フレーム分のデータ量となるまでの画像データを追加的に表示装置３０に出力する。このようにして、表示装置３０に１フレーム分の画像データを出力してから、制御部２０１は、そのフレームの画像の表示を表示装置３０に対して指示することで、表示装置３０において画像を表示する。
【００７５】
以上に説明したように、本実施の形態１では、メディアコンテンツモードへの切り替え契機となる入力に応じて、第１のデータ量を画像の表示を開始するまでにバッファ２２０に蓄積するデータ量として設定することを指示する設定指示情報を再生装置２０に送信し、ミラーリングモードへの切り替え契機となる入力に応じて、第１のデータ量よりも小さい第２のデータ量を画像の表示を開始するまでにバッファ２２０に蓄積するデータ量として設定することを指示する設定指示情報を再生装置２０に送信するようにしている。
【００７６】
これによれば、コンテンツ（動画像）を途切れないように表示することが要求されるメディアコンテンツモードの場合に、再生装置２０のバッファに蓄積するデータ量を大きくして、端末装置１０からの未転送のコンテンツデータの転送に遅延が生じた場合であっても、バッファ２２０に蓄積されたコンテンツデータに基づいて、コンテンツを途切れることなく表示することが可能となる。また、端末装置１０の画面に表示された画像を遅延なく同期して表示することが要求されるミラーリングモードの場合、再生装置２０のバッファに蓄積するデータ量を小さくして、画像データがバッファに蓄積されて、画像の表示が開始されるまでの時間を短縮して、画像を遅延なく表示開始することが可能となる。
【００７７】
すなわち、本実施の形態１によれば、他の装置へのコンテンツの転送表示及びミラーリング表示を快適に行うことができる。
【００７８】
＜発明の実施の形態２＞
続いて、本発明の実施の形態２について説明する。本発明の実施の形態２にかかるコンテンツ転送システム１の構成については、図１及び図３を参照して説明した実施の形態１にかかるコンテンツ転送システム１の構成と同様であるため、説明を省略する。また、本発明の実施の形態２にかかるコンテンツ再生処理についても、図５及び図６を参照して説明した実施の形態１にかかるコンテンツ再生処理と同様であるため、説明を省略する。
【００７９】
本実施の形態２では、再生装置２０のバッファ２２０に蓄積するデータ量の切り替えを指示する入力に応じて、第１のデータ量と第２のデータ量との間でバッファ２２０に蓄積するデータ量を切り替え可能とする。例えば、制御部１０１は、タッチパネルに、データ量切り替えボタンを表示するようにして、そのボタンが押下されたときに、バッファ２２０に蓄積するデータ量の切り替えを指示する入力があったと認識する。また、このボタンは、タッチパネルではなく、物理的なボタンに同様にして割り当てるようにしてもよい。
【００８０】
本実施の形態２では、バッファ２２０に蓄積するデータ量の初期値として、第１のデータ量と第２のデータ量のいずれかを予め設定しておけばよい。そして、例えば、バッファ２２０に蓄積するデータ量の初期値が第１のデータ量である場合であっても、ユーザーがミラーリングモードで表示装置３０に画像を表示して、表示が遅いと感じたときには、バッファ２２０に蓄積するデータ量を第２のデータ量に切り替えて、表示装置３０に画像が表示されるまでの速度を早くすることができる。また、バッファ２２０に蓄積するデータ量の初期値が第２のデータ量である場合に、ユーザーがメディアコンテンツモードで表示装置３０に画像を表示して、画像が途切れてしまうと感じたときも、同様に、バッファ２２０に蓄積するデータ量を第１のデータ量に切り替えることができる。
【００８１】
続いて、図７を参照して、本発明の実施の形態２にかかるデータ量切り替え処理について説明する。図７は、本発明の実施の形態２にかかるデータ量切り替え処理を示すフローチャートである。なお、図４を参照して説明した実施の形態１にかかるデータ量切り替え処理と同様の処理について同一の符号を付し、説明を省略する。
【００８２】
入力部１０５は、ユーザーからのデータ量の切り替えを指示する入力を受ける（Ｓ４０）。入力部１０５は、ユーザーからの入力に応じて、その入力内容を示す入力情報を生成して制御部１０１に出力する。
【００８３】
制御部１０１は、入力部１０５からのデータ量の切り替えを指示する入力を示す入力情報の出力に応じて、現在、再生装置２０のバッファ２２０に蓄積するデータ量を、第１のデータ量で設定しているか、第２のデータ量で設定しているかを判定する（Ｓ４１）。
【００８４】
ここで、現在設定されているデータ量は、例えば、記憶部１０２に、データ量を設定したときに、バッファ２２０に蓄積するデータ量を第１のデータ量と第２のデータ量のいずれを設定したかを示す情報を格納するようにしておくことで、その情報を参照することで認識可能とすればよい。
【００８５】
再生装置２０のバッファ２２０に蓄積するデータ量が、第２のデータ量で設定されている場合（Ｓ４１：第２のデータ量）、制御部１０１は、ステップＳ１２、Ｓ１３を実行する。再生装置２０のバッファが、第１のデータ量で設定されている場合（Ｓ４１：第１のデータ量）、制御部１０１は、ステップＳ１４、Ｓ１５を実行する。
【００８６】
以上に説明したように、本実施の形態２では、端末装置１０が、バッファ２２０に蓄積するデータ量の切り替えを指示する入力に応じて、第１のデータ量及び第２のデータ量のうち、現在設定されているデータ量とは異なるデータ量をバッファ２２０に蓄積するデータ量として設定することを指示する設定指示情報を再生装置２０に送信するようにしている。
【００８７】
ユーザーがミラーリングモードで表示装置３０に画像を表示して、表示が遅いと感じた場合には、バッファ２２０に蓄積するデータ量を小さいデータ量（第２のデータ量）に切り替えることができ、表示装置３０に画像が表示されるまでの速度を早くすることができる。また、ユーザーがメディアコンテンツモードで表示装置３０に画像を表示して、画像が途切れてしまうと感じた場合も、バッファ２２０に蓄積するデータ量を大きいデータ量（第１のデータ量）に切り替えることができ、画像の途切れを抑制することができる。
【００８８】
すなわち、本実施の形態２によれば、他の装置へのコンテンツの転送表示及びミラーリング表示を快適に行うことができる。
【００８９】
＜発明の実施の形態３＞
続いて、本発明の実施の形態３について説明する。本発明の実施の形態３にかかるコンテンツ転送システム１の構成については、図１及び図３を参照して説明した実施の形態１にかかるコンテンツ転送システム１の構成と同様であるため、説明を省略する。また、本発明の実施の形態３にかかるコンテンツ再生処理についても、図５及び図６を参照して説明した実施の形態１にかかるコンテンツ再生処理と同様であるため、説明を省略する。
【００９０】
本実施の形態３では、再生装置２０におけるバッファ２２０に蓄積するデータ量を、起動しているアプリに応じたデータ量に切り替える。例えば、メディアコンテンツモードでコンテンツを転送する動画アプリ１２１が起動されている場合、バッファ２２０に蓄積するデータ量を第１のデータ量に設定する。また、ミラーリングモードで端末装置１０の画面の画像を転送する静止画アプリ１２２又はゲームアプリ１２３が起動されている場合、バッファ２２０に蓄積するデータ量を第２のデータ量に設定する。
【００９１】
続いて、図８を参照して、本発明の実施の形態３にかかるデータ量切り替え処理について説明する。図８は、本発明の実施の形態３にかかるデータ量切り替え処理を示すフローチャートである。なお、図４を参照して説明した実施の形態１にかかるデータ量切り替え処理と同様の処理について同一の符号を付し、説明を省略する。
【００９２】
制御部１０１は、再生装置２０へのデータ（コンテンツデータ又は端末装置１０の画面の画像データ）の送信を検出する（Ｓ５０）。すなわち、制御部１０１は、例えば、実行中のアプリによって、再生装置２０へのデータの送信が指示されたこと等を検出する。
【００９３】
制御部１０１は、データの送信の検出に応じて、現在、起動中（実行中）のアプリケーションが、メディアコンテンツモードでデータを転送するアプリあるか、ミラーリングモードでデータを転送するアプリであるかを判定する（Ｓ５１）。
【００９４】
起動中のアプリケーションが、メディアコンテンツモードでデータを転送するアプリである場合（Ｓ５１：メディアコンテンツモード）、制御部１０１は、ステップＳ１２、Ｓ１３を実行する。起動中のアプリケーションが、ミラーリングモードでデータを転送するアプリケーションである場合（Ｓ５１：ミラーリングモード）、制御部１０１は、ステップＳ１４、Ｓ１５を実行する。そして、制御部１０１は、ステップＳ１２又はＳ１４を実行後、ステップＳ５０で検出したデータの送信を行う。
【００９５】
ここで、制御部１０１は、ステップＳ５１において、メディアコンテンツモードでデータを転送するアプリと、ミラーリングモードでデータを転送するアプリとのうち、いずれか１つのアプリのみを検出して、それに応じたデータ量の設定を行うようにしてもよい。具体的には、上述したように、再生装置２０に送信するデータにフラグを設定する場合に、デフォルトで第２のデータ量を設定することを示すフラグを設定するようにする。そして、メディアコンテンツモードでデータを転送するアプリあるであることを検出した場合（Ｓ５１：メディアコンテンツモード）に、そのフラグを第１のデータ量を設定することを示すように変更する。同様にして、ミラーリングモードでデータを転送するアプリを検出するようにして、フラグを第２のデータ量を設定することを示すように変更するようにしてもよい。
【００９６】
以上に説明したように、本実施の形態３では、再生装置２０にデータ（コンテンツデータ又は画像データ）を送信するときに、メディアコンテンツモードでデータを転送するアプリケーションプログラムが起動されている場合、第１のデータ量をバッファ２２０に蓄積するデータ量として設定することを指示する設定指示情報を再生装置２０に送信するようにしている。また、再生装置２０にデータ（コンテンツデータ又は画像データ）を送信するときに、ミラーリングモードでデータを転送するアプリケーションプログラムが起動されている場合、第２のデータ量をバッファに蓄積するデータ量として設定することを指示する設定指示情報を再生装置２０に送信するようにしている。
【００９７】
これによれば、実施の形態１と同様に、モードに応じてバッファ２２０に蓄積するデータ量を最適に変更することができるため、他の装置へのコンテンツの転送表示及びミラーリング表示を快適に行うことができる。
【００９８】
＜発明の実施の形態４＞
続いて、本発明の実施の形態４について説明する。本発明の実施の形態４にかかるコンテンツ転送システム１の構成については、図１及び図３を参照して説明した実施の形態１にかかるコンテンツ転送システム１の構成と同様であるため、説明を省略する。また、本発明の実施の形態４にかかるコンテンツ再生処理についても、図５及び図６を参照して説明した実施の形態１にかかるコンテンツ再生処理と同様であるため、説明を省略する。
【００９９】
本実施の形態４では、再生装置２０のバッファ２２０に蓄積するデータ量を、フリック入力の入力状況に応じたデータ量に切り替える。例えば、ユーザーが端末装置１０で写真（静止画像）を閲覧しているときには、写真を切り替えるために、フリック入力が頻繁に行われることになる。また、例えば、ユーザーがゲームアプリ１２３によってゲームを実行している場合には、ゲーム操作のためのフリック入力が頻繁に行われることになる。すなわち、ミラーリングモードで転送される画像が再生されている場合には、フリック入力が頻繁に行われることになる。
【０１００】
それに対して、例えば、ユーザーが動画像を観賞している場合には、フリック入力が行われないことが想定される。また、上述したように、ゲーム中にムービー（動画像）を表示することになった場合には、メディアコンテンツモードで表示するようにする場合も、同様である。すなわち、メディアコンテンツモードで転送される画像が再生されている場合には、フリック入力があまり行われないことになる。
【０１０１】
そのため、本実施の形態４では、フリック入力が所定の条件を満たす程度に行われている場合には、ミラーリングモードと判定して、第２のデータ量を設定する。逆に、フリック入力が所定の条件を満たす程度に行われていない場合には、メディアコンテンツモードと判定して、第１のデータ量を設定する。
【０１０２】
続いて、図９を参照して、本発明の実施の形態４にかかるデータ量切り替え処理について説明する。図９は、本発明の実施の形態４にかかるデータ量切り替え処理を示すフローチャートである。
【０１０３】
制御部１０１は、入力部１０５に対して、ユーザーが所定の条件を満たす程度にフリック入力を行っているか否かを判定する（Ｓ６０）。
【０１０４】
ここで、所定の条件とは、フリック入力が一定量行われていることを判定することができれば、任意の条件を定めるようにしてよい。例えば、所定の時間内にフリック入力が閾値を超える回数行われた場合に、フリック入力が行われていると判定するようにしてもよい。
【０１０５】
フリック入力が行われている場合（Ｓ６０：Ｙｅｓ）、制御部１０１は、ステップＳ１２、Ｓ１３を実行する。フリック入力が行われていない場合（Ｓ６０：Ｎｏ）、制御部１０１は、ステップＳ１４、Ｓ１５を実行する。
【０１０６】
以上に説明したように、本実施の形態４では、フリック入力が所定の条件を満たす程度に入力されていない場合、第１のデータ量をバッファ２２０に蓄積するデータ量として設定することを指示する設定指示情報を再生装置２０に送信するようにしている。また、フリック入力が所定の条件を満たす程度に入力されている場合、第２のデータ量をバッファ２２０に蓄積するデータ量として設定することを指示する設定指示情報を再生装置２０に送信するようにしている。
【０１０７】
これによれば、実施の形態１と同様に、モードに応じてバッファ２２０に蓄積するデータ量を最適に変更することができるため、他の装置へのコンテンツの転送表示及びミラーリング表示を快適に行うことができる。
【０１０８】
＜本発明の他の実施の形態＞
上述した通信部２０３は、一態様として、端末装置１０から受信したデータを一時的に格納するバッファ（図示せず）を有しており、バッファがいっぱいになったときに、バッファに蓄積されたデータをバッファ２２０に転送して格納するように構成される。しかしながら、この場合、ミラーリングモードで、通信部２０３のバッファの容量が大きく設定されていると、例えば、１フレーム分のデータ（第２のデータ量）が蓄積されているのに、そのデータがバッファ２２０に転送されないといった事象が発生し得る。したがって、このような事象を回避するために、バッファ２２０に蓄積するデータ量の変更に伴い、通信部２０３のバッファの容量も変更するようにしてもよい。
【０１０９】
具体的には、制御部２０１は、第１のデータ量の設定を指示する設定指示情報の受信に応じて、通信部２０３のバッファの容量を第１のバッファ容量に設定する。また、制御部２０１は、第２のデータ量の設定を指示する設定指示情報の受信に応じて、通信部２０３のバッファの容量を第１のバッファ容量よりも小さい第２のバッファ容量に設定する。すなわち、この場合、第１のバッファ容量は、１フレーム分のデータ量（第２のデータ量）以下の容量とする。
【０１１０】
＜本発明の実施の形態の概要＞
続いて、図１０を参照して、本発明の実施の形態の概要について説明する。図１０は、本発明の実施の形態にかかるコンテンツ転送システム１の概要構成となる画像転送システム９を示すブロック図である。
【０１１１】
画像転送システム９は、端末装置９１、再生装置９２、及び表示装置９３を有する。端末装置９１は、端末制御部９１１、コンテンツ記憶部９１２、及び入力部９１３を有する。再生装置９２は、再生制御部９２１及びデータ記憶部９２２を有する。再生装置９２は、端末装置９１から転送されたデータが示す画像を表示装置９３に表示する。
【０１１２】
端末制御部９１１は、コンテンツモードでは、コンテンツ記憶部９１２に格納されたコンテンツデータを再生装置９２に送信する。端末制御部９１１は、ミラーリングモードでは、端末装置９１の画面に表示された画像を示す画像データを再生装置９２に送信する。コンテンツ記憶部９１２は、画像に関するコンテンツを示すコンテンツデータが格納される。入力部９１３は、ユーザーからの入力を受ける。
【０１１３】
再生制御部９２１は、データ記憶部９２２に格納されたデータが設定データ量に達したときに、データ記憶部９２２に格納されたデータに基づいて、データが示す画像の表示装置９３への表示を開始する。データ記憶部９２２は、端末装置９１から送信されたデータが格納される。
【０１１４】
端末制御部９１１は、入力部９１３に対するコンテンツモードへの切り替え契機となる入力に応じて、第１のデータ量を設定データ量として設定することを指示する設定指示情報を再生装置９２に送信する。端末制御部９１１は、入力部９１３に対するミラーリングモードへの切り替え契機となる入力に応じて、第１のデータよりも小さい第２のデータ量を設定データ量として設定することを指示する設定指示情報を再生装置９２に送信する。
【０１１５】
再生制御部９２１は、端末装置９１から送信された設定指示情報で指示されるデータ量を、設定データ量として設定する。
【０１１６】
なお、本発明は上記実施の形態に限られたものではなく、趣旨を逸脱しない範囲で適宜変更することが可能である。
【０１１７】
本実施の形態では、動画像をメディアコンテンツモードでの転送対象とし、静止画像及びゲーム画像をミラーリングモードでの転送対象とした場合について例示したが、これに限られない。例えば、それらの画像のうち、いずれかを異なるモードでの転送対象としてもよく、他の種類の画像をメディアコンテンツモード及びミラーリングモードの転送対象としてもよい。
【０１１８】
本発明の実施の形態にかかる端末装置１０及び再生装置２０は、上述の実施の形態の機能を実現するプログラムを、コンピュータ（端末装置１０及び再生装置２０）又はコンピュータが有するプロセッサ（ＣＰＵ及びＭＰＵ（Micro Processing Unit）等）が実行することによって、構成することが可能である。
【０１１９】
また、このプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【０１２０】
また、コンピュータが上述の実施の形態の機能を実現するプログラムを実行することにより、上述の実施の形態の機能が実現される場合だけでなく、このプログラムが、コンピュータ上で稼動しているＯＳ（Operating System）もしくはアプリケーションソフトウェアと共同して、上述の実施の形態の機能を実現する場合も、本発明の実施の形態に含まれる。
【０１２１】
この出願は、２０１２年３月３０日に出願された日本出願特願２０１２−８２２０３を基礎とする優先権を主張し、その開示の全てをここに取り込む。
【符号の説明】
【０１２２】
１  コンテンツ転送システム
９  画像転送システム
１０、９１  端末装置
２０、９２  再生装置
３０、９３  表示装置
１０１、２０１  制御部
１０２、２０２  記憶部
１０３  表示バッファ
１０４  表示部
１０５  入力部
１０６、２０３  通信部
１２１  コンテンツデータ
１２２  動画アプリ
１２３  静止画アプリ
１２４  ゲームアプリ
２０４  表示インタフェース部
２２０  バッファ
９１１  端末制御部
９１２  コンテンツ記憶部
９１３  入力部
９２１  再生制御部
９２２  データ記憶部
【図１】
2013145699.tif 000003
【図２】
2013145699.tif 000004
【図３】
2013145699.tif 000005
【図４】
2013145699.tif 000006
【図５】
2013145699.tif 000007
【図６】
2013145699.tif 000008
【図７】
2013145699.tif 000009
【図８】
2013145699.tif 000010
【図９】
2013145699.tif 000011
【図１０】
2013145699.tif 000012
【手続補正書】
【提出日】平成26年7月25日(2014.7.25)
【手続補正１】
【補正対象書類名】特許請求の範囲
【補正対象項目名】全文
【補正方法】変更
【補正の内容】
【特許請求の範囲】
【請求項１】
端末装置と、前記端末装置から転送されたデータが示す画像を表示装置に表示する再生装置とを備えた画像転送システムであって、
前記端末装置は、
ユーザーからの入力を受ける入力手段と、
画像に関するコンテンツを示すコンテンツデータが格納されるコンテンツ記憶手段と、
コンテンツモードでは、前記コンテンツ記憶手段に格納されたコンテンツデータを前記再生装置に送信し、ミラーリングモードでは、前記端末装置の画面に表示された画像を示す画像データを前記再生装置に送信する端末制御手段と、を有し、
前記再生装置は、
前記端末装置から送信されたデータが格納されるデータ記憶手段と、
前記データ記憶手段に格納されたデータが設定データ量に達したときに、当該データ記憶手段に格納されたデータに基づいて、当該データが示す画像の前記表示装置への表示を開始する再生制御手段と、を有し、
前記端末制御手段は、前記入力手段に対する前記コンテンツモードへの切り替え契機となる入力に応じて、第１のデータ量を前記設定データ量として設定することを指示する設定指示情報を前記再生装置に送信し、前記入力手段に対する前記ミラーリングモードへの切り替え契機となる入力に応じて、前記第１のデータ量よりも小さい第２のデータ量を前記設定データ量として設定することを指示する設定指示情報を前記再生装置に送信し、
前記再生制御手段は、前記端末装置から送信された設定指示情報で指示されるデータ量を、前記設定データ量として設定する、
画像転送システム。
【請求項２】
前記端末制御手段は、前記入力手段に対してフリック入力が所定の条件を満たす程度に入力されている場合、前記第２のデータ量を前記設定データ量として設定することを指示する設定指示情報を前記再生装置に送信する、
請求項１に記載の画像転送システム。
【請求項３】
前記端末制御手段は、前記入力手段に対してフリック入力が所定の条件を満たす程度に入力されていない場合、前記第１のデータ量を前記設定データ量として設定することを指示する設定指示情報を前記再生装置に送信する、
請求項１又は２に記載の画像転送システム。
【請求項４】
前記端末制御手段は、前記入力手段に対する前記設定データ量の切り替えを指示する入力に応じて、前記第１のデータ量及び前記第２のデータ量のうち、現在設定されているデータ量とは異なるデータ量を前記設定データ量として設定することを指示する設定指示情報を前記再生装置に送信する、
請求項１乃至３のいずれか１項に記載の画像転送システム。
【請求項５】
前記端末制御手段は、前記データを送信するときに、前記コンテンツモードで前記データを転送するアプリケーションプログラムが起動されている場合、前記第１のデータ量を前記設定データ量として設定することを指示する設定指示情報を前記再生装置に送信する、
請求項１乃至４のいずれか１項に記載の画像転送システム。
【請求項６】
前記端末制御手段は、前記データを送信するときに、前記ミラーリングモードで前記データを転送するアプリケーションプログラムが起動されている場合、前記第２のデータ量を前記設定データ量として設定することを指示する設定指示情報を前記再生装置に送信する、
請求項１乃至５のいずれか１項に記載の画像転送システム。
【請求項７】
前記第２のデータ量は、少なくとも１フレーム分のデータ量であり、
前記第１のデータ量は、所定数の複数フレーム分のデータ量である、
請求項１乃至６のいずれか１項に記載の画像転送システム。
【請求項８】
前記再生装置は、さらに、前記端末装置から送信されたデータを受信する通信手段を有し、
前記通信手段は、前記受信したデータを格納するバッファを有し、前記バッファがいっぱいになったときに、当該バッファに格納されたデータを前記データ記憶手段に格納し、
前記再生制御手段は、前記第１のデータ量を前記設定データ量として設定するときに、第１の容量を前記バッファの容量として設定し、前記第２のデータ量を前記設定データ量として設定するときに、前記第１の容量よりも小さい第２の容量を前記バッファの容量として設定する、
請求項１乃至７のいずれか１項に記載の画像転送システム。
【請求項９】
前記入力手段に対する前記コンテンツモードへの切り替え契機となる入力は、前記コンテンツモードへの切り替えを指示する入力、及び、前記コンテンツモードで前記データを転送するアプリケーションプログラムの起動を指示する入力の少なくとも１つであり、
前記入力手段に対する前記ミラーリングモードへの切り替え契機となる入力は、前記ミラーリングモードへの切り替えを指示する入力、及び、前記ミラーリングモードで前記データを転送するアプリケーションプログラムの起動を指示する入力の少なくとも１つであり、
請求項１乃至８のいずれか１項に記載の画像転送システム。
【請求項１０】
前記端末装置は、さらに、前記画像データが格納されたときに、当該画像データが示す画像が前記画面に表示される表示バッファを有し、
前記端末制御手段は、前記ミラーリングモードでは、前記表示バッファに格納された画像データを前記再生装置に送信する、
請求項１乃至９のいずれか１項に記載の画像転送システム。
【請求項１１】
前記端末装置は、スマートフォン又はタブレット端末である、
請求項１乃至１０のいずれか１項に記載の画像転送システム。
【請求項１２】
画像を示すデータを転送して、転送先で転送されたデータが示す画像を表示する画像転送方法であって、
コンテンツモードへの切り替え契機となる入力に応じて、第１のデータ量を設定データ量として設定することを指示する設定指示情報を送信、又は、ミラーリングモードへの切り替え契機となる入力に応じて、前記第１のデータ量よりも小さい第２のデータ量を前記設定データ量として設定することを指示する設定指示情報を送信し、
前記送信された設定指示情報で指示されるデータ量を、前記設定データ量として設定し、
前記コンテンツモードでは、コンテンツ記憶手段に格納された、画像に関するコンテンツを示すコンテンツデータを送信し、前記ミラーリングモードでは、画面に表示された画像を示す画像データを送信し、
前記送信されたデータをデータ記憶手段に格納し、
前記データ記憶手段に格納されたデータが前記設定データ量に達したときに、当該データ記憶手段に格納されたデータに基づいて、当該データが示す画像の表示を開始する、
画像転送方法。
【請求項１３】
データを受信してデータ記憶手段に格納し、前記データ記憶手段に格納されたデータが設定データ量に達したときに、当該データ記憶手段に格納されたデータに基づいて、当該データが示す画像の表示装置への表示を開始する再生装置に対して、前記データを送信する端末装置であって、
ユーザーからの入力を受ける入力手段と、
画像に関するコンテンツを示すコンテンツデータが格納されるコンテンツ記憶手段と、
コンテンツモードでは、前記コンテンツ記憶手段に格納されたコンテンツデータを前記再生装置に送信し、ミラーリングモードでは、前記端末装置の画面に表示された画像を示す画像データを前記再生装置に送信する端末制御手段と、を備え、
前記端末制御手段は、前記入力手段に対する前記コンテンツモードへの切り替え契機となる入力に応じて、第１のデータ量を前記設定データ量として設定することを指示する設定指示情報を前記再生装置に送信し、前記入力手段に対する前記ミラーリングモードへの切り替え契機となる入力に応じて、前記第１のデータ量よりも小さい第２のデータ量を前記設定データ量として設定することを指示する設定指示情報を前記再生装置に送信する、
端末装置。
【請求項１４】
データを受信してデータ記憶手段に格納し、前記データ記憶手段に格納されたデータが設定データ量に達したときに、当該データ記憶手段に格納されたデータに基づいて、当該データが示す画像の表示装置への表示を開始する再生装置に対して、前記データを送信する画像送信方法であって、
コンテンツモードへの切り替え契機となる入力に応じて、第１のデータ量を設定データ量として設定することを指示する設定指示情報を前記再生装置に送信、又は、ミラーリングモードへの切り替え契機となる入力に応じて、前記第１のデータ量よりも小さい第２のデータ量を前記設定データ量として設定することを指示する設定指示情報を前記再生装置に送信し、
前記コンテンツモードでは、コンテンツ記憶手段に格納された、画像に関するコンテンツを示すコンテンツデータを前記再生装置に送信し、前記ミラーリングモードでは、画面に表示された画像を示す画像データを前記再生装置に送信する、
画像送信方法。
【請求項１５】
データを受信してデータ記憶手段に格納し、前記データ記憶手段に格納されたデータが設定データ量に達したときに、当該データ記憶手段に格納されたデータに基づいて、当該データが示す画像の表示装置への表示を開始する再生装置に対して、前記データを送信するための画像送信プログラムであって、
コンテンツモードでは、コンテンツ記憶手段に格納された、画像に関するコンテンツを示すコンテンツデータを前記再生装置に送信し、ミラーリングモードでは、画面に表示された画像を示す画像データを前記再生装置に送信する処理と、
前記コンテンツモードへの切り替え契機となる入力に応じて、第１のデータ量を前記設定データ量として設定することを指示する設定指示情報を前記再生装置に送信する処理と、
前記ミラーリングモードへの切り替え契機となる入力に応じて、前記第１のデータ量よりも小さい第２のデータ量を前記設定データ量として設定することを指示する設定指示情報を前記再生装置に送信する処理と、
をコンピュータに実行させる画像送信プログラム。
【手続補正３】
【補正対象書類名】明細書
【補正対象項目名】０００１
【補正方法】変更
【補正の内容】
【０００１】
本発明は、画像転送システム、画像転送方法、端末装置、画像送信方法、及び、画像送信プログラムに関し、特に、他の装置へのコンテンツの転送表示及びミラーリング表示を行う技術に関する。
【手続補正４】
【補正対象書類名】明細書
【補正対象項目名】０００８
【補正方法】変更
【補正の内容】
【０００８】
本発明の目的は、上述したような課題を解決するために、他の装置へのコンテンツの転送表示及びミラーリング表示を快適に行うことができる画像転送システ ム、画像転送方法、端末装置、画像送信方法、及び、画像送信プログラムを提供することである。
【手続補正５】
【補正対象書類名】明細書
【補正対象項目名】００１４
【補正方法】変更
【補正の内容】
【００１４】
本発明の上述した各態様によれば、他の装置へのコンテンツの転送表示及びミラーリング表示を快適に行うことができる画像転送システム、画像転送方法、端末装置、画像送信方法、及び、画像送信プログラムを提供することができる。
【国際調査報告】
2013145699.tif 000013
2013145699.tif 000014
2013145699.tif 000015
2013145699.tif 000016